【手続補正書】
【提出日】令和3年3月18日(2021.3.18)
【手続補正１】
【補正対象書類名】特許請求の範囲
【補正対象項目名】全文
【補正方法】変更
【補正の内容】
【特許請求の範囲】
【請求項１】
水面から所定の高さ及び水面から一定の深さを備えた誘導浮体部材を具備するとともに前記誘導浮体部材の深さより大きな深さの接触部及び所定の幅と津波を防止するための所定の長さを有する浮体防波堤部を備え前記誘導浮体部材と鎖により繋がれた津波対策浮体部材を具備し、前記誘導浮体部材と鎖により繋がれた前記津波対策浮体部材が津波により誘導され移動して前記接触部と海底面が接触することにより前記浮体防波堤部が海面から海上に浮上し、海上に浮上した前記浮体防波堤部が津波により前記誘導浮体部材の側面と接触することにより前記津波対策浮体部材が回転した後、津波により岸に近づくと前記浮体防波堤部が防波堤となることを特徴とする津波対策浮体装置。
【請求項２】
水面から一定の深さを有し底部に津波に耐えうる重量と水面上高さが５メートル以上の空気層及び鎖を繋ぐ筒を有する誘導浮体部材を具備するとともに前記誘導浮体部材の深さより大きな深さの接触部及び所定の幅と津波を防止するための長さの浮体防波堤部を備えた津波対策浮体部材を具備し、前記誘導浮体部材の前記筒と前記浮体防波堤部の先端部が鎖により繋がられた前記津波対策浮体部材が津波により誘導され移動して前記接触部と海底面が接触することにより前記浮体防波堤部が海面から海上に浮上し、海上に浮上した前記浮体防波堤部が津波により前記誘導浮体部材の側面と接触することにより前記津波対策浮体部材が回転した後、津波により岸に近づくと前記浮体防波堤部が防波堤となることを特徴とする津波対策浮体装置。
【請求項３】
水面から一定の深さを有し底部に津波に耐えうる重量と水面上高さが５メートル以上の空気層及び鎖を繋ぐ筒を有する複数の誘導浮体部材を具備するとともに前記複数の誘導浮体部材の深さより大きな深さの接触部及び所定の幅と津波を防るための長さの浮体防波堤部を備えた複数の津波対策浮体部材を具備し、前記複数の誘導浮体部材の前記筒と前記浮体防波堤部の先端部が鎖により繋がられた前記複数の津波対策浮体部材の浮体防波堤部の水面上の高さを交互に変更し前記所定の幅より短い幅で固定部材により前記複数の誘導浮体部材を鎖状誘導浮体部材として固定するとともに前記複数の津波対策浮体部材が前記鎖状誘導浮体部材に誘導されて津波により移動し複数の前記接触部と海底面が接触することにより複数の前記浮体防波堤部が海面から海上に浮上し、海上に浮上した複数の前記浮体防波堤部が津波により前記鎖状誘導浮体部材の側面と接触することにより前記津波対策浮体部材が回転した後、岸に近づくと複数の前記浮体防波堤部が防波堤となることを特徴とする鎖状津波対策浮体装置。
【請求項４】
水面から一定の深さを有し底部に津波に耐えうる重量と海面上高さが５メートル以上の空気層及び鎖を繋ぐ筒を有する誘導浮体部材を具備するとともに前記誘導浮体部材の深さより大きな深さの接触部と所定の幅と15メートル以上の津波を防止するための深さを備えた垂直の防波堤部及び所定の幅と津波による更なる回転を阻止するための長さの浮体回転阻止部を備えた津波対策浮体部材を具備し、前記誘導浮体部材の前記筒と前記浮体回転阻止部の先端部とが鎖により繋がられた前記津波対策浮体部材が津波により移動し前記接触部と海底面が接触することにより前記浮体回転阻止部が海面から海上に浮上し津波により前記誘導浮体部材の側面と接触することにより前記津波対策浮体部材が回転して岸に近づいた後、前記誘導浮体部材が津波により移動し前記津波対策浮体部材が回転して前記防波堤部が防波堤となり前記浮体回転阻止部が前記津波対策浮体部材の更なる回転を阻止することを特徴とする 津波対策浮体装置。
【請求項５】
水面から一定の深さを有し底部に津波に耐えうる重量と海面上高さが５メートル以上の空気層及び鎖を繋ぐ筒を有する複数の誘導浮体部材を具備するとともに前記複数の誘導浮体部材の深さより大きな深さの接触部と所定の幅と15メートル以上の津波を防止するための深さを備えた垂直の防波堤部及び所定の幅と津波による更なる回転を阻止するための長さの浮体回転阻止部を備えた複数の津波対策浮体部材を具備し、前記複数の誘導浮体部材の前記筒と前記浮体回転阻止部の先端部とが鎖により繋がられた前記複数の津波対策浮体部材の防波堤部の位置を交互に変更し前記所定の幅より短い幅で固定部材により前記複数の誘導浮体部材を鎖状誘導浮体部材として固定するとともに前記複数の津波対策浮体部材が津波により前記鎖状誘導浮体部材に誘導され移動して複数の前記接触部と海底面が接触することにより複数の前記浮体回転阻止部が海面から海上に浮上し津波により複数の前記誘導浮体部材の側面と接触することにより前記津波対策浮体部材が回転して岸に近づいた後、前記鎖状誘導浮体部材が津波により移動し複数の前記津波対策浮体部材が回転して複数の前記防波堤部が防波堤となり複数の前記浮体回転阻止部が複数の前記津波対策浮体部材の更なる回転を阻止することを特徴とする 鎖状津波対策浮体装置。
【請求項６】
前記接触部或いは複数の接触部が500メートル以上の深さを有することを特徴とする請求項1〜5記載の津波対策浮体装置或いは鎖状津波対策浮体装置。
【請求項７】
水面から所定の高さを有するとともに水面から一定の深さを有する誘導浮体部材を具備するとともに前記誘導浮体部材と鎖にながれ所定の幅と津波を防止するための所定の長さの浮体防波堤部を備えた津波対策浮体部材を具備し、前記誘導浮体部材と共に前記津波対策浮体部材が津波により移動し前記接触部が海底に接触すると前記浮体防波堤部が海面から海上に浮上し、浮上した前記浮体防波堤部が津波により前記誘導浮体部材の側面と接触することにより前記津波対策浮体部材が回転して岸に近づいた後、前記浮体防波堤部が防波堤となることを特徴とする 津波対策浮体装置。
【請求項８】
水面から一定の深さを有し底部に津波に耐えうる重量と水面上高さが1５メートル以上の空気層及び鎖を繋ぐ筒を有する誘導浮体部材を具備するとともに前記誘導浮体部材の深さより大きな深さの接触部及び所定の幅と津波を防止するための長さを有し前記誘導浮体部材と先端部が鎖により繋がれた浮体防波堤部を備えた津波対策浮体部材を具備し、前記誘導浮体部材の前記筒と前記浮体防波堤部の先端部が鎖により繋がられた前記津波対策浮体部材が前記誘導浮体部材に誘導され津波により移動し前記接触部と海底面が接触すると前記浮体防波堤部が海面から海上に浮上し、浮上した前記浮体防波堤部が津波により前記誘導浮体部材の側面と接触することにより前記津波対策浮体部材が回転して岸に近づいた後、前記浮体防波堤部が防波堤となることを特徴とする 津波対策浮体装置。
【請求項９】
水面から一定の深さを有し底部に津波に耐えうる重量と水面上高さが１５メートル以上の空気層及び鎖を繋ぐ筒を有する複数の誘導浮体部材を具備するとともに前記複数の誘導浮体部材の深さより大きな深さの接触部及び所定の幅と津波を防止するための長さを有し複数の前記誘導浮体部材と先端部が鎖により繋がれた浮体防波堤部を備えた複数の津波対策浮体部材を具備し、前記複数の津波対策浮体部材の前記浮体防波堤部の水面上の高さを交互に変更し前記所定の幅より短い幅で固定部材により前記誘導浮体部材を固定して鎖状誘導浮体部材とするとともに前記鎖状誘導浮体部材の前記筒と前記浮体防波堤部の先端部が鎖により繋がられた複数の前記津波対策浮体部材が前記鎖状誘導浮体部材に誘導されて津波により移動し複数の前記接触部と海底面が接触すると複数の前記浮体防波堤部が海面から海上に浮上し、浮上した複数の前記浮体防波堤部が津波により前記鎖状誘導浮体部材の側面と接触することにより前記津波対策浮体部材が回転して岸に近づいた後、複数の前記浮体防波堤部が防波堤となることを特徴とする鎖状津波対策浮体装置。
【請求項１０】
水面から一定の深さを有し底部に津波に耐えうる重量と海面上高さが1５メートル以上の空気層及び鎖を繋ぐ筒を有する誘導浮体部材を具備するとともに前記誘導浮体部材の深さより大きな深さの接触部と所定の幅と15メートル以上の津波を防止するための深さを備えた垂直の防波堤部及び所定の幅と津波による更なる回転を阻止するための長さを有し前記誘導浮体部材と先端部が鎖により繋がれた浮体回転阻止部を備えた津波対策浮体部材を具備し、前記誘導浮体部材の前記筒と前記浮体回転阻止部の先端部とが鎖により繋がられた前記津波対策浮体部材が前記誘導浮体部材に誘導され津波により移動し前記接触部と海底面が接触し前記浮体回転阻止部が海面から海上に浮上し津波により前記誘導浮体部材の側面と接触することにより前記津波対策浮体部材が回転して岸に近づいた後、津波により前記誘導浮体部材が移動し前記津波対策浮体部材が回転して前記防波堤部が防波堤となり前記浮体回転阻止部が前記津波対策浮体部材の更なる回転を阻止することを特徴とする 津波対策浮体装置。
【請求項１１】
水面から一定の深さを有し底部に津波に耐えうる重量と海面上高さが1５メートル以上の空気層及び鎖を繋ぐ筒を有する複数の誘導浮体部材を具備するとともに前記複数の誘導浮体部材の深さより大きな深さの接触部と所定の幅と15メートル以上の津波を防止するための深さを備えた垂直の防波堤部及び所定の幅と津波による更なる回転を阻止するための長さを有し前記誘導浮体部材と先端部が鎖により繋がれた浮体回転阻止部を備えた複数の津波対策浮体部材を具備し、前記複数の津波対策浮体部材の防波堤部の位置を交互に変更し前記所定の幅より短い幅で固定部材により前記複数の誘導浮体部材を固定して鎖状誘導浮体部材とするとともに前記筒と前記浮体回転阻止部の先端部とが鎖により繋がられた複数の前記津波対策浮体部材が前記鎖状誘導浮体部材の誘導で津波により移動し複数の前記接触部と海底面が接触して複数の前記浮体回転阻止部が海面から海上に浮上し津波により前記鎖状誘導浮体部材の側面と接触することにより前記津波対策浮体部材が回転した後、岸に近づくと津波により前記鎖状誘導浮体部材が移動し複数の前記津波対策浮体部材が回転して前記防波堤部が防波堤となり前記浮体回転阻止部が複数の前記津波対策浮体部材の更なる回転を阻止することを特徴とする鎖状津波対策浮体装置。
【請求項１２】
前記接触部或いは複数の接触部が500メートル以上の深さを有し前記誘導浮体部材或いは鎖状誘導浮体部材が沖合に近づき前記接触部或いは複数の接触部が海底面に接触して前記浮体防波堤部が海面から海上に浮上し、浮上した前記浮体防波堤部が津波により前記誘導浮体部材或いは鎖状誘導浮体部材の側面と接触することにより前記津波対策浮体部材が回転して岸に近づいた後、前記浮体防波堤部が防波堤となることを特徴とする請求項７〜９記載の津波対策浮体装置或いは鎖状津波対策浮体装置。
【請求項１３】
前記接触部或いは複数の接触部が500メートル以上の深さを有し前記誘導浮体部材の前記筒と前記浮体回転阻止部の先端部とが鎖により繋がられた前記津波対策浮体部材或いは複数の津波対策浮体部材が前記誘導浮体部材或いは鎖状誘導浮体部材の誘導により沖合に近づくと前記接触部或いは複数の接触部と海底面が接触して前記浮体回転阻止部が海面から海上に浮上し津波により前記誘導浮体部材或いは鎖状誘導浮体部材の側面と接触することにより前記津波対策浮体部材が回転して岸に近づいた後、津波により前記誘導浮体部材或いは鎖状誘導浮体部材が移動し前記津波対策浮体部材或いは複数の津波対策浮体部材が回転して前記防波堤部が防波堤となり前記浮体回転阻止部が前記津波対策浮体部材或いは複数の津波対策浮体部材の更なる回転を阻止することを特徴とする 請求項１０或いは請求項１1記載の津波対策浮体装置或いは鎖状津波対策浮体装置。
【手続補正２】
【補正対象書類名】明細書
【補正対象項目名】０００６
【補正方法】変更
【補正の内容】
【０００６】
本発明の津波対策浮体装置は、水面から一定の深さを有する誘導浮体部材を具備するとともに前記誘導浮体部材と鎖によりつながれ前記誘導浮体部材の深さより深い深さの接触部及び所定の幅と長さ或いは深さを有する防波堤部を備えた津波対策浮体部材を具備し、岸に近づいたとき津波対策浮体部材が回転して防波堤になることを特徴とする。
請求項1の津波対策浮体装置は、 水面から所定の高さ及び水面から一定の深さを備えた誘導浮体部材を具備するとともに前記誘導浮体部材の深さより大きな深さの接触部及び所定の幅と津波を防止するための所定の長さを有する浮体防波堤部を備え前記誘導浮体部材と鎖により繋がれた津波対策浮体部材を具備し、前記誘導浮体部材と鎖により繋がれた前記津波対策浮体部材が津波により誘導され移動して前記接触部と海底面が接触することにより前記浮体防波堤部が海面から海上に浮上し、海上に浮上した前記浮体防波堤部が津波により前記誘導浮体部材の側面と接触することにより前記津波対策浮体部材が回転した後、津波により岸に近づくと前記浮体防波堤部が防波堤となることを特徴とする。
請求項２の津波対策浮体装置は、水面から一定の深さを有し底部に津波に耐えうる重量と水面上高さが５メートル以上の空気層及び鎖を繋ぐ筒を有する誘導浮体部材を具備するとともに前記誘導浮体部材の深さより大きな深さの接触部及び所定の幅と津波を防止するための長さの浮体防波堤部を備えた津波対策浮体部材を具備し、前記誘導浮体部材の前記筒と前記浮体防波堤部の先端部が鎖により繋がられた前記津波対策浮体部材が津波により誘導され移動して前記接触部と海底面が接触することにより前記浮体防波堤部が海面から海上に浮上し、海上に浮上した前記浮体防波堤部が津波により前記誘導浮体部材の側面と接触することにより前記津波対策浮体部材が回転した後、津波により岸に近づくと前記浮体防波堤部が防波堤となることを特徴とする  。
請求項3に記載の鎖状津波対策浮体装置は、水面から一定の深さを有し底部に津波に耐えうる重量と水面上高さが５メートル以上の空気層及び鎖を繋ぐ筒を有する複数の誘導浮体部材を具備するとともに前記複数の誘導浮体部材の深さより大きな深さの接触部及び所定の幅と津波を防るための長さの浮体防波堤部を備えた複数の津波対策浮体部材を具備し、前記複数の誘導浮体部材の前記筒と前記浮体防波堤部の先端部が鎖により繋がられた前記複数の津波対策浮体部材の浮体防波堤部の水面上の高さを交互に変更し前記所定の幅より短い幅で固定部材により前記複数の誘導浮体部材を鎖状誘導浮体部材として固定するとともに前記複数の津波対策浮体部材が前記鎖状誘導浮体部材に誘導されて津波により移動し複数の前記接触部と海底面が接触することにより複数の前記浮体防波堤部が海面から海上に浮上し、海上に浮上した複数の前記浮体防波堤部が津波により前記鎖状誘導浮体部材の側面と接触することにより前記津波対策浮体部材が回転した後、岸に近づくと複数の前記浮体防波堤部が防波堤となることを特徴とする。
請求項４に記載の津波対策浮体装置は、  水面から一定の深さを有し底部に津波に耐えうる重量と海面上高さが５メートル以上の空気層及び鎖を繋ぐ筒を有する誘導浮体部材を具備するとともに前記誘導浮体部材の深さより大きな深さの接触部と所定の幅と15メートル以上の津波を防止するための深さを備えた垂直の防波堤部及び所定の幅と津波による更なる回転を阻止するための長さの浮体回転阻止部を備えた津波対策浮体部材を具備し、前記誘導浮体部材の前記筒と前記浮体回転阻止部の先端部とが鎖により繋がられた前記津波対策浮体部材が津波により移動し前記接触部と海底面が接触することにより前記浮体回転阻止部が海面から海上に浮上し津波により前記誘導浮体部材の側面と接触することにより前記津波対策浮体部材が回転して岸に近づいた後、前記誘導浮体部材が津波により移動し前記津波対策浮体部材が回転して前記防波堤部が防波堤となり前記浮体回転阻止部が前記津波対策浮体部材の更なる回転を阻止することを特徴とする。
請求項５に記載の鎖状津波対策浮体装置は、  水面から一定の深さを有し底部に津波に耐えうる重量と海面上高さが５メートル以上の空気層及び鎖を繋ぐ筒を有する複数の誘導浮体部材を具備するとともに前記複数の誘導浮体部材の深さより大きな深さの接触部と所定の幅と15メートル以上の津波を防止するための深さを備えた垂直の防波堤部及び所定の幅と津波による更なる回転を阻止するための長さの浮体回転阻止部を備えた複数の津波対策浮体部材を具備し、前記複数の誘導浮体部材の前記筒と前記浮体回転阻止部の先端部とが鎖により繋がられた前記複数の津波対策浮体部材の防波堤部の位置を交互に変更し前記所定の幅より短い幅で固定部材により前記複数の誘導浮体部材を鎖状誘導浮体部材として固定するとともに前記複数の津波対策浮体部材が津波により前記鎖状誘導浮体部材に誘導され移動して複数の前記接触部と海底面が接触することにより複数の前記浮体回転阻止部が海面から海上に浮上し津波により複数の前記誘導浮体部材の側面と接触することにより前記津波対策浮体部材が回転して岸に近づいた後、前記鎖状誘導浮体部材が津波により移動し複数の前記津波対策浮体部材が回転して複数の前記防波堤部が防波堤となり複数の前記浮体回転阻止部が複数の前記津波対策浮体部材の更なる回転を阻止することを特徴とする。
請求項6記載の津波対策浮体装置或いは鎖状津波対策浮体装置は、前記接触部或いは複数の接触部が500メートル以上の深さを有することを特徴とする請求項1〜5記載の津波対策浮体装置或いは鎖状津波対策浮体装置である。
請求項７に記載の津波対策浮体装置は、水面から所定の高さを有するとともに水面から一定の深さを有する誘導浮体部材を具備するとともに前記誘導浮体部材と鎖にながれ所定の幅と津波を防止するための所定の長さの浮体防波堤部を備えた津波対策浮体部材を具備し、前記誘導浮体部材と共に前記津波対策浮体部材が津波により移動し前記接触部が海底に接触すると前記浮体防波堤部が海面から海上に浮上し、浮上した前記浮体防波堤部が津波により前記誘導浮体部材の側面と接触することにより前記津波対策浮体部材が回転して岸に近づいた後、前記浮体防波堤部が防波堤となることを特徴とする。
請求項８に記載の津波対策浮体装置は、水面から一定の深さを有し底部に津波に耐えうる重量と水面上高さが1５メートル以上の空気層及び鎖を繋ぐ筒を有する誘導浮体部材を具備するとともに前記誘導浮体部材の深さより大きな深さの接触部及び所定の幅と津波を防止するための長さを有し前記誘導浮体部材と先端部が鎖により繋がれた浮体防波堤部を備えた津波対策浮体部材を具備し、前記誘導浮体部材の前記筒と前記浮体防波堤部の先端部が鎖により繋がられた前記津波対策浮体部材が前記誘導浮体部材に誘導され津波により移動し前記接触部と海底面が接触すると前記浮体防波堤部が海面から海上に浮上し、浮上した前記浮体防波堤部が津波により前記誘導浮体部材の側面と接触することにより前記津波対策浮体部材が回転して岸に近づいた後、前記浮体防波堤部が防波堤となることを特徴とする。
請求項９に記載の鎖状津波対策浮体装置は、  水面から一定の深さを有し底部に津波に耐えうる重量と水面上高さが１５メートル以上の空気層及び鎖を繋ぐ筒を有する複数の誘導浮体部材を具備するとともに前記複数の誘導浮体部材の深さより大きな深さの接触部及び所定の幅と津波を防止するための長さを有し複数の前記誘導浮体部材と先端部が鎖により繋がれた浮体防波堤部を備えた複数の津波対策浮体部材を具備し、前記複数の津波対策浮体部材の前記浮体防波堤部の水面上の高さを交互に変更し前記所定の幅より短い幅で固定部材により前記誘導浮体部材を固定して鎖状誘導浮体部材とするとともに前記鎖状誘導浮体部材の前記筒と前記浮体防波堤部の先端部が鎖により繋がられた複数の前記津波対策浮体部材が津波により前記鎖状誘導浮体部材に誘導され移動し複数の前記接触部と海底面が接触すると複数の前記浮体防波堤部が海面から海上に浮上し、浮上した複数の前記浮体防波堤部が津波により前記鎖状誘導浮体部材の側面と接触することにより前記津波対策浮体部材が回転して岸に近づいた後、複数の前記浮体防波堤部が防波堤となることを特徴とする。
請求項１０に記載の津波対策浮体装置は、水面から一定の深さを有し底部に津波に耐えうる重量と海面上高さが1５メートル以上の空気層及び鎖を繋ぐ筒を有する誘導浮体部材を具備するとともに前記誘導浮体部材の深さより大きな深さの接触部と所定の幅と15メートル以上の津波を防止するための深さを備えた垂直の防波堤部及び所定の幅と津波による更なる回転を阻止するための長さを有し前記誘導浮体部材と先端部が鎖により繋がれた浮体回転阻止部を備えた津波対策浮体部材を具備し、前記誘導浮体部材の前記筒と前記浮体回転阻止部の先端部とが鎖により繋がられた前記津波対策浮体部材が前記誘導浮体部材の誘導で津波により移動し前記接触部と海底面が接触し前記浮体回転阻止部が海面から海上に浮上し津波により前記誘導浮体部材の側面と接触することにより前記津波対策浮体部材が回転して岸に近づいた後、津波により前記誘導浮体部材が移動し前記津波対策浮体部材が回転して前記防波堤部が防波堤となり前記浮体回転阻止部が前記津波対策浮体部材の更なる回転を阻止することを特徴とする。
請求項１１に記載の鎖状津波対策浮体装置は、  水面から一定の深さを有し底部に津波に耐えうる重量と海面上高さが1５メートル以上の空気層及び鎖を繋ぐ筒を有する複数の誘導浮体部材を具備するとともに前記複数の誘導浮体部材の深さより大きな深さの接触部と所定の幅と15メートル以上の津波を防止するための深さを備えた垂直の防波堤部及び所定の幅と津波による更なる回転を阻止するための長さを有し前記誘導浮体部材と先端部が鎖により繋がれた浮体回転阻止部を備えた複数の津波対策浮体部材を具備し、前記複数の津波対策浮体部材の防波堤部の位置を交互に変更し前記所定の幅より短い幅で固定部材により前記複数の誘導浮体部材を固定して鎖状誘導浮体部材とするとともに前記筒と前記浮体回転阻止部の先端部とが鎖により繋がられた複数の前記津波対策浮体部材が前記鎖状誘導浮体部材の誘導で津波により移動し複数の前記接触部と海底面が接触して複数の前記浮体回転阻止部が海面から海上に浮上し津波により前記鎖状誘導浮体部材の側面と接触することにより前記津波対策浮体部材が回転して岸に近づくと津波により前記鎖状誘導浮体部材が移動し複数の前記津波対策浮体部材が回転して複数の前記防波堤部が防波堤となり複数の前記浮体回転阻止部が複数の前記津波対策浮体部材の更なる回転を阻止することを特徴とする。
請求項１２に記載の津波対策浮体装置或いは鎖状津波対策浮体装置は、  前記接触部或いは複数の接触部が500メートル以上の深さを有し前記誘導浮体部材或いは鎖状誘導浮体部材が沖合に近づき前記接触部或いは複数の接触部が海底面に接触して前記浮体防波堤部が海面から海上に浮上し、浮上した前記浮体防波堤部が津波により前記誘導浮体部材或いは鎖状誘導浮体部材の側面と接触することにより前記津波対策浮体部材が回転し岸に近づいた後、前記浮体防波堤部が防波堤となることを特徴とする請求項７〜９記載の津波対策浮体装置或いは鎖状津波対策浮体装置である。
請求項１３に記載の津波対策浮体装置或いは鎖状津波対策浮体装置は、  前記接触部或いは複数の接触部が500メートル以上の深さを有し前記誘導浮体部材の前記筒と前記浮体回転阻止部の先端部とが鎖により繋がられた前記津波対策浮体部材或いは複数の津波対策浮体部材が前記誘導浮体部材或いは鎖状誘導浮体部材の誘導により沖合に近づくと前記接触部或いは複数の接触部と海底面が接触して前記浮体回転阻止部が海面から海上に浮上し津波により前記誘導浮体部材或いは鎖状誘導浮体部材の側面と接触することにより前記津波対策浮体部材が回転して岸に近づいた後、津波により前記誘導浮体部材或いは鎖状誘導浮体部材が移動し前記津波対策浮体部材或いは複数の津波対策浮体部材が回転して前記防波堤部が防波堤となり前記浮体回転阻止部が前記津波対策浮体部材或いは複数の津波対策浮体部材の更なる回転を阻止することを特徴とする 請求項１０或いは請求項１1記載の津波対策浮体装置或いは鎖状津波対策浮体装置である。